(57)【要約】（１）技術領域：本発明は虹色で国際標準虹道路を建設し、及び虹色道路の建設方法に関する。（２）技術的課題：世界６大陸の地球人誰もが共感する標準化された自転車専用道路がなくて世界一周等長距離自転車旅行が不可能であり、地球の自然環境の破壊が深刻で南極氷河が予想よりずっと早く溶けている。（３）課題の解決手段：大韓民国を含め世界６大陸に地球人誰もが共感する国際標準虹道路（Ｔｈｅ  Ｗｏｒｌｄ  Ｓｔａｎｄａｒｄ  Ｒａｉｎｂｏｗ  Ｈｉｇｈｗａｙ）を建設する。その虹道路は自転車専用道路として活用し、その色の表示方法は、第一赤色部分は赤色道路用ペイントを、同じ方法で虹色の七色を順次に直接塗布する。二番目の方法は、ゴム等を使用または利用して虹色で虹道路の形状や形態を作って既存道路に敷いたり覆って建設する。また、赤色等一つの色幅は３００ｍｍで、虹道路の総幅は２１００ｍｍにし、道路用ペイントの厚さは３７５μｍ、虹道路の長さは制限なく同道路の状況によって設置する。（４）効果：自然環境に優しい新型国際標準虹道路は世界を誰でも容易に自転車旅行を思いっきり楽しむことができ、地球の温暖化防止に寄与し、世界平和運動と地球の自然親環境復興運動に大きく寄与する。
2012518104.tif 000002
【特許請求の範囲】
【請求項１】
自転車専用虹道路は、自転車専用道路面を７つの同じ幅に連続的に虹色（赤、橙、黄、緑、青、藍、紫）を塗布して視認性が優れるようにすることを特徴とする自転車専用虹道路。
【発明の詳細な説明】
【技術分野】
【０００１】
本発明は虹色からなる統一された新型国際標準虹道路の建設及びその設置方法に関し、その国際標準虹道路は、発明の名称に明記したように、国内外で標準化された新型自転車専用道路として活用することによって全世界を自転車で自由に旅行しながら楽しむ自然親環境復興運動である。
【０００２】
その色の表示方法は、第一、虹色（赤、橙、黄、緑、青、藍、紫）と全く同じ色で並べてアスファルトやコンクリートの道路に虹色の中の赤色部分は赤色道路用ペイントを、橙色部分は橙色道路用ペイントを、黄色部分は黄色道路用ペイントを、緑色部分は緑色道路用ペイントを、青色部分は青色道路用ペイントを、藍色部分は藍色道路用ペイントを、紫色部分は紫色道路用ペイントを直接塗布し、またアスファルトコンクリートや防水ウレタン材料を使って作った道路も前述したのと全く同じ方法で七色虹道路を建設し、二番目の方法は、ゴム、プラスチック材料等を使用または利用して虹色で虹道路の形状や形態を作って既存道路や新道路に敷いたり覆って建設する。
【０００３】
また、前記道路の幅、厚さ及び長さ等の規格は、赤色等一色幅は３００ｍｍで、虹道路の総幅は２１００ｍｍにし、またそれぞれ道路用ペイントの厚さはそれぞれ３７５μｍに塗布し、虹道路の長さは制限なしに道路の状況によって設置する。
【背景技術】
【０００４】
第一、地球の温暖化によってアルプスの万年雪、極大陸の氷河が溶けて海水面が上がり、太平洋島国は地球上で消え、また異常気温で津波のような災難が襲って韓半島三面の海も海水温度が上がって熱帯地方の魚が出現している現実であり、
【０００５】
第二、「車で出かけることが怖い」高油価の困難、即ち、高油価及び地球の温暖化の解決方法は「自転車に乗るしかない」。低費用で高效率があり、費用のかからない、世界的に小さいながら、統一且つ標準化された自転車専用道路がない。
【０００６】
また、地球の自然を楽しむことができる国際標準虹道路（Ｔｈｅ  Ｗｏｒｌｄ  ｓｔａｎｄａｒｄ  Ｒａｉｎｂｏｗ  Ｈｉｇｈｗａｙ）を作って夢と希望のある浩然之気を学み、東西南北を行ったり来たりし、幻想的な地球人の大統合及び自然親環境復興運動、世界平和運動もともに展開して全ての地球に伝播、全人類に美しい地球をよく保存して子孫に伝える。
【発明の概要】
【発明が解決しようとする課題】
【０００７】
１．世界中の誰もが共感する統一且つ標準化された自転車道路がない。
【０００８】
２．準高速道路や国土等に沿って自転車に乗ることはできるが、煤煙、騷音、暴走する自動車に露出されて危険であり、自転車に乗ることが怖い。
【０００９】
３．低費用で高效率のお金のかからない自転車に乗ることができる道路が国内外的にほとんどない。
【００１０】
４．１泊２日または世界一周など長期旅行は専用道路がなくまた専用地図がなくて現実的に不可能である。
【００１１】
５．地球の温暖化でアルプスの万年雪、南北極大陸の氷河が溶けて海水面は上がり、太平洋島国は地球上で消え、また異常気温で津波のような災難が襲っている現実である。
【００１２】
６．地球の自然環境の破壊が日々に深刻になって南極氷河が予想よりずっと早く溶けてかつてない海水面の上昇が惹起される虞がある現実である。
【課題を解決するための手段】
【００１３】
１．世界６大陸に国際標準虹道路（Ｔｈｅ  Ｗｏｒｌｄ  ｓｔａｎｄａｒｄ  Ｒａｉｎｂｏｗ  Ｈｉｇｈｗａｙ）を建設する。（虹色ではない他の多色道路が発生する場合、統一性と標準性がない）
【００１４】
２．その虹道路は発明の名称で明記したように、国際的に標準化された新型虹道路を建設して自転車専用道路として活用し、アメリカ、ロシアを含めて地球上の全ての国を自転車に乗って自由に旅行できるようにし、
【００１５】
また、その色の表示方法は、赤、橙、黄、緑、青、藍、紫などの七色と全く同じ色で並べてアスファルトやコンクリートの道路等に使用される赤色部分は赤色道路用ペイントを、橙色部分は橙色道路用ペイントを、黄色部分は黄色道路用ペイントを、緑色部分は緑色道路用ペイントを、青色部分は青色道路用ペイントを、藍色部分は藍色道路用ペイントを、紫色部分は紫色道路用ペイントを直接塗布し、アスファルトコンクリートや防水ウレタン材料を使って作った道路も前述したのと全く同じ方法で新型七色虹道路を建設し、
【００１６】
二番目の方法は、ゴム、プラスチック材料等を使用または利用して虹色で虹道路の形状や形態を作って既存道路や新道路に敷いたり覆って建設する。
【００１７】
３．前記道路の広さと長さ及び厚さ等の規格は、赤色等一色幅は３００ｍｍで、虹道路の総幅は２１００ｍｍにし、またそれぞれ道路用ペイントの厚さはそれぞれ３７５μｍに塗布し、虹道路の長さは制限なしに道路の状況によって設置する。
【００１８】
４．都市には道路両側の歩道に設置されている両方自転車道路を車道に合わせて（道路の両側に二つ設置することは意味がない）、一つの自転車専用道路に建設する。
【００１９】
５．また、自動車道路と一緒に設置されるので、事故の危険性があり、安全のために境界棒または安定棒も同時に設置する。
【００２０】
６．農村には既存の農村農路を全部または一部を全面的に活用して各地方自治団体別に自転車道路里程標を迅速に設置する（花道もともに造成）。
【００２１】
７．同時に、標準化された虹地図（ｓｔａｎｄａｒｄ  Ｒａｉｎｂｏｗ  Ｈｉｇｈｑａｙ  Ｍａｐ）を作って全国一周、世界一周等の長期旅行も可能にする（自転車店鋪と宿泊施設挿入）。
【００２２】
８．世界６大陸に六つの虹道路を建設し、文明の発想地であるナイル川、黄河、インダス川、チグリス・ユーフラテス川等の４大川流域とアマゾン川等の地区のもう一つの大川も一緒に建設する。
【００２３】
９．自然親環境復興運動、世界平和運動も一緒に展開、発展してＵＮも一緒に同参する。
【発明の効果】
【００２４】
１．世界で一つしかない新型国際標準虹道路（Ｔｈｅ  Ｗｏｒｌｄ  Ｎｅｗ  ｓｔａｎｄａｒｄ  Ｒａｉｎｂｏｗ  Ｈｉｇｈｗａｙ）を建設して統一性と標準化で地球人誰でも容易に利用し、自転車旅行を思いきり楽しむことができるようにする。
【００２５】
２．新しい働き口を創出して、現在アメリカ発世界経済危機から奇跡的に生き返えて素敵な世界経済発展に寄与する。
【００２６】
３．世界各国における既存の農路、抜け道を活用して迅速に建設し、予算を非常に多く低減できる。
【００２７】
４．高油価で車で走ることが怖い。解決方法は自転車に乗るしかなく、高油価に備えて油類を非常に多く低減できる。
【００２８】
５．地球の自然の美しさと大事さが分かれ、歴史を勉強して浩然の気を養う。
【００２９】
６．夢と希望を与える自転車に乗って東西南北を行ったり来たりして、幻想的な地球大統合基盤を構築して地球を一つに、世界平和に貢献する。
【００３０】
７．同時に、地球の温暖化に備えて地球大災難と地球の滅亡から地球を求めて、よく保存して百年、千年、億年子孫に伝える。
【００３１】
８．美しい地球の自然親環境に大きく寄与して自然親環境復興運動、世界平和運動も一緒に展開、発展する。
【００３２】
大韓民国を含めて世界国ごとに誰も共感する統一且つ標準化された美しい虹色で国際標準虹道路を作って地球人に夢と希望を与えてお金のかからない自転車で地球のどの地域も行ったり来たりできるようにし、世界平和運動と地球自然親環境復興運動に大きく寄与する。
【図面の簡単な説明】
【００３３】
【図１】本発明の道路の形態を表す図である。
【発明を実施するための形態】
【００３４】
国際標準虹道路は、発明の名称で明記したように、国内外的に統一された新型国際標準虹道路を建設して自転車専用道路として活用し、大韓民国を含めて地球上の諸国を自由に自転車旅行を楽しむことができるようにし、
【００３５】
その色の表示方法は、赤、橙、黄、緑、青、藍、紫などの七色と全く同じ色で並べてアスファルトやコンクリートの道路等に使用される赤色部分は赤色道路用ペイントを、橙色部分は橙色道路用ペイントを、黄色部分は黄色道路用ペイントを、緑色部分は緑色道路用ペイントを、青色部分は青色道路用ペイントを、藍色部分は藍色道路用ペイントを、紫色部分は紫色道路用ペイントを直接塗布し、アスファルトコンクリートや防水ウレタン材料を使って作った道路も前述したのと全く同じ方法で塗布して虹道路を新設する。
【００３６】
二番目の方法は、ゴム、プラスチック材料等を使用または利用して虹色で虹道路の形状や形態を作って既存道路や新道路に敷いたり覆って建設する。
【００３７】
前記道路の広さと長さ及び厚さ等の規格は、赤色等一色の幅は３００ｍｍにして、虹道路全体の総幅は２１００ｍｍにし、またそれぞれ道路用ペイントの厚さはそれぞれ３７５μｍに塗布し、虹道路の長さは制限なしに道路の状況によって設置する。
【００３８】
（発明を実施するための形態）
大韓民国を含めて世界６大陸に地球人の誰もが共感する新型国際標準虹道路（Ｔｈｅ  Ｗｏｒｌｄ  ｓｔａｎｄａｒｄ  Ｒａｉｎｂｏｗ  Ｈｉｇｈｗａｙ）を建設設置する。
【００３９】
その虹道路は専ら自転車専用道路（Ｂｉｃｙｃｌｅ  Ｈｉｇｈｗａｙ）として活用し、その色表示方法は、第一赤色部分は赤色道路用ペイントを、まったく同じ方法で虹色の七色を順次に直接塗布する。
【００４０】
二番目方法は、ゴム、軟性プラスチック材料等を使用または利用して虹色で虹道路の形状や形態を作って既存道路に敷いたり覆って建設する。
【００４１】
また、赤色等一つの色幅は３００ｍｍで、虹道路の総幅は２１００ｍｍにし、道路用ペイントの厚さは３７５μｍ、虹道路の長さは制限なく道路の状況によって設置する
【００４２】
（産業上利用可能性）
１．新しい働き口を創出して現在アメリカ発世界経済危機を乗り越える。
【００４３】
２．小さいが一番長くて巨大な土木工事を世界人とともに建設する。
【００４４】
３．統一された新型国際標準虹道路を建設して自然親環境復興運動、世界平和運動も一緒に展開、発展する。
【図１】
2012518104.tif 000003
【国際調査報告】
2012518104.tif 000004
2012518104.tif 000005
2012518104.tif 000006
2012518104.tif 000007